(57)【要約】【課題】表示装置やキーボードなどのコンピュータの入出力装置部分（コンソール部分）だけを自由に移動できると共に集約化、小型化された遠隔コンソールユニットを提供する。【解決手段】コンピュータ本体２００との間で汎用のケーブルＣｂを介して遠隔からデータの入力及び/又は出力が可能なコンピュータの遠隔コンソールユニットであって、コンピュータ本体２００から画像信号を受信すると共にケーブルＣｂの延長化に伴う画像信号の特性劣化を補償する機能を有する信号処理装置１０を備え、信号処理装置１０は、画像信号とそれ以外の各種信号のケーブルＣｂを通じてコンピュータ本体２００と送受する機能を有する。【選択図】図２
2007042063.tif 000002
【特許請求の範囲】
【請求項１】
コンピュータ本体との間で汎用のケーブルを介して遠隔からデータの入力及び/又は出力が可能なコンピュータの遠隔コンソールユニットであって、
前記コンピュータ本体から画像信号を受信すると共に前記画像信号以外の各種信号を前記ケーブルを通じて前記コンピュータ本体と送受する信号処理装置を備える、ことを特徴とするコンピュータの遠隔コンソールユニット。
【請求項２】
前記信号処理装置は、前記ケーブルの延長化に伴う前記画像信号の特性劣化を補償する機能を有する、ことを特徴とする請求項１に記載のコンピュータの遠隔コンソールユニット。
【請求項３】
前記ケーブルは、ＬＡＮケーブルであることを特徴とする請求項１又は２に記載のコンピュータの遠隔コンソールユニット。
【請求項４】
前記ケーブルは、カテゴリ５のＬＡＮケーブルである、ことを特徴とする請求項３に記載のコンピュータの遠隔コンソールユニット。
【請求項５】
前記信号処理装置に接続される、前記コンピュータ本体から受信した画像信号をその表示画面へ出力する表示装置と前記コンピュータ本体へデータを入力するための入力装置を備えることを特徴とする請求項１ないし５のいずれかに記載のコンピュータの遠隔コンソールユニット。
【請求項６】
前記入力装置には、キーボード、マウス、タッチパネルの少なくともいずれかが含まれる、ことを特徴とする請求項５に記載の遠隔コンソールユニット。
【請求項７】
前記信号処理装置、前記表示装置及び前記入力装置を支持するラックを備えることを特徴とする請求項５又は６に記載のコンピュータの遠隔コンソールユニット。
【請求項８】
前記ラックは、前記信号処理装置、前記表示装置及び前記入力装置を共通に支持する支柱部を備えることを特徴とする請求項７に記載のコンピュータの遠隔コンソールユニット。
【請求項９】
前記ラックは、移動式ラックであることを特徴とする請求項７又は８に記載のコンピュータの遠隔コンソールユニット。
【請求項１０】
前記信号処理装置は、前記ケーブルに含まれる複数の伝送線のうち、前記画像信号の伝送に使用される伝送線以外の共通の伝送線を使用して前記画像信号以外の各種信号を送受する、ことを特徴とする請求項１ないし９のいずれかに記載のコンピュータの遠隔コンソールユニット。
【請求項１１】
コンピュータ本体から離れた場所で汎用のケーブルを通じて前記コンピュータ本体から送信された画像信号を受信して表示可能な遠隔用表示装置であって、
前記コンピュータ本体から前記ケーブルを通じて画像信号を受信する画像受信手段と、
前記画像信号以外の各種信号を前記ケーブルを通じて前記コンピュータ本体と送受信する送受信手段とを備える、ことを特徴とする遠隔表示装置。
【請求項１２】
前記画像受信手段は、前記ケーブルの延長化に伴う前記画像信号の特性劣化を補償する機能を有する、ことを特徴とする請求項１１に記載の遠隔表示装置。
【請求項１３】
表示画面上にタッチパネルを備え、
前記送受信手段は、前記タッチパネルからの入力信号を含む各種信号を前記コンピュータ本体との間で前記ケーブルを通じて送受信する、ことを特徴とする請求項１１又は１２に記載の遠隔表示装置。
【請求項１４】
キーボード又はマウスが接続可能に形成され、
前記送受信手段は、キーボード又はマウスからの入力信号を前記コンピュータ本体へ前記ケーブルを通じて送信可能に形成されている、ことを特徴とする請求項１１ないし１３のいずれかに記載の遠隔表示装置。
【請求項１５】
音声出力手段を備え、
前記送受信手段は、前記コンピュータ本体から送信された音声信号を受信して音声出力手段に出力する、ことを特徴とする請求項１１ないし１４のいずれかに記載の遠隔表示装置。
【請求項１６】
前記送受信手段は、前記ケーブルに含まれる複数の伝送線のうち、前記画像信号の伝送に使用される伝送線以外の共通の伝送線を使用して前記各種信号を送受する、ことを特徴とする請求項１１ないし１５のいずれかに記載の遠隔表示装置。
【請求項１７】
前記ケーブルは、ＬＡＮケーブルであることを特徴とする請求項１１ないし１６のいずれかに記載の遠隔表示装置。
【請求項１８】
前記ケーブルは、カテゴリ５のＬＡＮケーブルである、ことを特徴とする請求項１７に記載の遠隔表示装置。
【発明の詳細な説明】
【技術分野】
【０００１】
本発明は、コンピュータ本体との間で遠隔からデータの入出力が可能な遠隔コンソールユニットに関する。
【背景技術】
【０００２】
コンピュータシステムは、液晶パネル等の表示装置やキーボード、マウス等の入力装置からなる入出力装置（コンソール）と、プロセッサ、記憶装置等を備えたコンピュータ本体とから基本的に構成される。
従来において、コンピュータシステムを様々な場所に移動して使用する場合、例えば、会議等におけるプレゼンテーション、病院や会社の受付、製造工場等で使用する場合には、コンピュータシステムを構成する各コンポーネントをラック等に収容して移動させていた。このため、遠隔からコンピュータ本体を操作できる技術に対する要請は従来からあり、遠隔からコンピュータ本体を操作する技術は非常に多く提案されている（例えば、特許文献１等参照）。
【特許文献１】特開平０８−２３５０９３号公報
【発明の開示】
【発明が解決しようとする課題】
【０００３】
しかしながら、上記のような技術は、ネットワーク等の通信手段を用いるため、画像等の表示にタイムラグが存在し、上記のような場所での使用に適さない。
【０００４】
本発明は、上記の事情に鑑みて成されたものであり、その目的とするところは、表示装置やキーボードなどのコンピュータの入出力装置部分（コンソール部分）だけを遠隔な場所に移動できると共に集約化、小型化された遠隔コンソールユニット及び遠隔用表示装置を提供することにある。
【課題を解決するための手段】
【０００５】
本発明に係る遠隔コンソールユニットは、コンピュータ本体との間で汎用のケーブルを介して遠隔からデータの入力及び/又は出力が可能なコンピュータの遠隔コンソールユニットであって、前記コンピュータ本体から画像信号を受信すると共に前記画像信号以外の各種信号を前記ケーブルを通じて前記コンピュータ本体と送受する信号処理装置を備える、ことを特徴としている。
この構成によれば、コンソールユニットにコンピュータ本体との間で画像信号だけでなく各種信号を送受する信号処理装置を備える構成としたので、その結果、コンピュータのコンソール部分のみをコンピュータ本体から独立にかつ自由に移動させることができると共に、遠隔からコンピュータ本体の操作が可能となる。
【０００６】
上記構成において、前記信号処理装置は、前記ケーブルの延長化に伴う前記画像信号の特性劣化を補償する機能を有する、構成を採用できる。
この構成によれば、ケーブルを延長化してコンソール部分をコンピュータ本体からさらに離れた場所に設置しても表示装置に表示する画像の品質を維持できる。
【０００７】
上記構成において、ケーブルは、ＬＡＮケーブルである、構成を採用でき、ｓらに、カテゴリ５のＬＡＮケーブルである、構成を採用できる。
この構成によれば、規格品のＬＡＮケーブルを用いることにより、コストを低減できる。
【０００８】
上記構成において、前記信号処理装置に接続される、前記コンピュータ本体から受信した画像信号をその表示画面へ出力する表示装置と前記コンピュータ本体へデータを入力するための入力装置を備える、構成を採用できる。また、前記入力装置には、キーボード、マウス、タッチパネルの少なくともいずれかが含まれる、構成を採用できる。
この構成によれば、遠隔コンソールユニットにおいて、通常のコンピュータ操作と同様に、画面を見ながらキーボードやマウス等の操作が可能となる。
【０００９】
上記構成において、前記信号処理装置、前記表示装置及び前記入力装置を支持するラックを備える、構成を採用できる。
この構成によれば、遠隔コンソールユニットを集約化及び小型化が可能となる。
【００１０】
上記構成において、ラックは、信号処理装置、表示装置及び入力装置を共通に支持する支柱部を備える、構成を採用できる。
この構成によれば、信号処理装置、表示装置及び入力装置を共通の支柱部において支持することにより、信号処理装置と表示装置及び入力装置との間の接続配線の引き回しが容易となり、遠隔コンソールユニットをさらに集約化、小型化できる。
【００１１】
上記構成において、ラックは、移動式ラックである、構成を採用できる。
この構成によれば、遠隔コンソールユニットを必要に応じて自由に移動させることができる。
【００１２】
上記構成において、前記信号処理装置は、前記ケーブルに含まれる複数の伝送線のうち、前記画像信号の伝送に使用される伝送線以外の共通の伝送線を使用して前記画像信号以外の各種信号を送受する、構成を採用できる。
この構成によれば、ケーブルの伝送線の数を最小限にすることができる。
【００１３】
本発明の遠隔用表示装置は、コンピュータ本体から離れた場所で汎用のケーブルを通じて前記コンピュータ本体から送信された画像信号を受信して表示可能な遠隔用表示装置であって、前記コンピュータ本体から前記ケーブルを通じて画像信号を受信する画像受信手段と、前記画像信号以外の各種信号を前記ケーブルを通じて前記コンピュータ本体と送受信する送受信手段とを備える、ことを特徴としている。
【００１４】
上記構成において、前記画像受信手段は、前記ケーブルの延長化に伴う前記画像信号の特性劣化を補償する機能を有する、ことを特徴とする請求項１１に記載の遠隔表示装置。
【００１５】
上記構成において、表示画面上にタッチパネルを備え、前記送受信手段は、前記タッチパネルからの入力信号を含む各種信号を前記コンピュータ本体との間で前記ケーブルを通じて送受信する、構成を採用できる。
【００１６】
上記構成において、キーボード又はマウスが接続可能に形成され、前記送受信手段は、キーボード又はマウスからの入力信号を前記コンピュータ本体へ前記ケーブルを通じて送信可能に形成されている、構成を採用できる。
【００１７】
上記構成において、前記送受信手段は、前記コンピュータ本体から送信された音声信号を受信して音声出力手段に出力する、構成を採用できる。
【００１８】
上記構成において、前記送受信手段は、前記ケーブルに含まれる複数の伝送線のうち、前記画像信号の伝送に使用される伝送線以外の共通の伝送線を使用して前記各種信号を送受する、構成を採用できる。
【００１９】
上記構成において、前記ケーブルは、ＬＡＮケーブルである、構成を採用できる。また、前記ケーブルは、カテゴリ５のＬＡＮケーブルである、構成を採用できる。
【発明の効果】
【００２０】
本発明によれば、本発明によれば、表示装置やキーボードなどのコンピュータの入出力装置部分（コンソール部分）だけをコンピュータ本体から離れた場所まで自由に移動できると共にその集約化、小型化が可能となる。
【発明を実施するための最良の形態】
【００２１】
以下、本発明の最良の実施形態について、図１ないし図４を参照して説明する。
図１は本発明の一実施形態に係るコンピュータの遠隔コンソールユニットの外観斜視図、図２は遠隔コンソールユニットがコンピュータ本体にケーブルにより接続された状態を示す図、図３は本発明の一実施形態に係る遠隔コンソールユニットが適用されたコンピュータシステムの機能ブロック図、及び図４は遠隔コンソールユニットに備わる信号処理装置の機能ブロック図である。
【００２２】
この遠隔コンソールユニットは、図１ないし図４に示すように、信号処理装置１０、表示装置としてのタッチパネル付きモニタ２０（以下、モニタ２０という）、入力装置としてマウス機能付きキーボード（キーボード／マウス）３０、ラック４０等から構成される。
【００２３】
モニタ２０は、その表示画面にコンピュータ本体２００等から送信されて信号処理装置１０から入力された画像データ等の各種データを表示すると共に、その表示画面上に形成されたタッチパネルに対するタッチ入力データを信号処理装置１０を通じてコンピュータ本体２００へ出力する。モニタ２０は入力装置及び出力装置として機能する。尚、タッチパネルには、抵抗膜方式、アナログ容量結合方式、赤外線方式、超音波方式等を用いることができる。
【００２４】
キーボード／マウス３０は、遠隔コンソールユニット側のユーザにより操作されて、そのキー操作やマウス操作に応じたデータを信号処理装置１０へ入力する。
【００２５】
信号処理装置１０は、図２に示すように、一端が信号処理装置１００に接続されたケーブルＣｂにより、信号処理装置１００を介してコンピュータ本体２００と電気的に接続され、各種信号ＤＩを信号処理装置１００及びケーブルＣｂを通じてコンピュータ本体２００へ送信すると共に、コンピュータ本体２００からの画像信号等の各種信号ＤＯを信号処理装置１００及びケーブルＣｂを通じて受信する。
また、信号処理装置１０は、図４に示すように、画像信号処理回路１１、信号送受信回路１２、プロセッサ（ＣＰＵ）１３、タッチパネル制御回路１４、キーボード制御回路１５、マウス制御回路１６、ＬＡＮコネクタ１７等から構成されている。
【００２６】
ケーブルＣｂは、汎用のケーブル、例えば、ＬＡＮ（Ｌｏｃａｌ  Ａｒｅａ  Ｎｅｔｗｏｒｋ）ケーブルが使用される。ＬＡＮケーブルとしては、米国電子工業会／米国電気通信工業会（ＥＩＡ／ＴＩＡ）の５６９規格で定められるカテゴリ５（Ｃａｔ５）やカテゴリ６（Ｃａｔ６）の区分に分類される４本のツイストペア線（伝送線）からなる、ＵＴＰ（アンシールド  ツイステッド  ペア）ケーブルを使用することができる。尚、他の規格（ＩＳＯ１１８０１、ＪＩＳＸ５１５０、ＩＥＥＥ８０２．３など）で定められるカテゴリ５やカテゴリ６に相当するＬＡＮケーブルを使用することも可能である。また、エンハンストカテゴリ５（Ｃａｔ５ｅ）のＬＡＮケーブルを用いることもできる。
ケーブルＣｂは、例えば、ＲＪ−４５（Ｒｅｇｉｓｔｅｒｅｄ  Ｊａｃｋ−４５）のモジュラプラグ（図示せず）を両端に備えており、このモジュラプラグ一方が信号処理装置１０のＬＡＮコネクタ１７に接続され、他方がコンピュータ本体２００側の信号処理装置１００の図示しないＬＡＮコネクタに接続される。
ケーブルＣｂに上記のようなＬＡＮケーブルを用いれば、ケーブルＣｂの長さを数百メートル程度まで延長することができる。
【００２７】
画像信号処理回路１１は、図４に示すように、ケーブルＣｂの３本の伝送線ＴＬ１〜ＴＬ３を通じて画像信号（Ｒ，Ｇ，Ｂ信号）がそれぞれ入力される。
画像信号処理回路１１に入力される画像信号は、ケーブルＣｂが長くなるほどＲ，Ｇ，Ｂ信号間の信号遅延時間のずれが大きくなり、Ｒ，Ｇ，Ｂ信号の周波数特性が劣化し、Ｒ，Ｇ，Ｂ信号のゲインが減衰する。このため、画像信号処理回路１１は、ケーブルＣｂの延長化に伴うＲ，Ｇ，Ｂ信号の特性劣化を補償する機能を有している。具体的には、Ｒ，Ｇ，Ｂ信号のゲイン調整機能、Ｒ，Ｇ，Ｂ信号間の信号遅延時間の調整機能、Ｒ，Ｇ，Ｂ信号の周波数特性調整機能を備えている。尚、これらの補償機能は、周知の技術により実現することができる。
画像信号処理回路１１は、コンピュータ本体２００側の信号処理装置１００からケーブルＣｂを通じて受信した画像信号の特性を補償したのち、これをモニタ２０に出力する。これにより、ケーブルＣｂが長くなってもモニタ２０に高品質の画像を表示できる。
【００２８】
タッチパネル制御回路１４は、例えば、シリアルインターフェースを有しており、モニタ２０に備わるタッチパネルからの入力信号（シリアル信号）を受信して、プロセッサ１３に出力する。
キーボード制御回路１５は、キーボード／マウス３０のキーボード操作により入力されるキーボード信号（シリアル信号）を受信して、これをプロセッサ１３に出力する。
マウス制御回路１６は、キーボード／マウス３０のマウス操作により入力されるマウス信号（シリアル信号）を受信して、これをプロセッサ１３に出力する。
プロセッサ（ＣＰＵ）１３は、タッチパネル制御回路１４、キーボード制御回路１５、マウス制御回路１６から入力される各種信号を信号送受信回路１３へ出力する。
信号送受信回路１２は、コンピュータ本体２００側の信号処理装置１００とケーブルＣｂの伝送線ＴＬを通じて各種信号を送受信する回路であり、プロセッサ（ＣＰＵ）１３から入力された各種信号を多重化して共通の伝送線ＴＬ４を使用してコンピュータ本体２００へ送信する。尚、信号送受信回路１２は、ケーブルＣｂの延長化に伴う信号劣化を補償する機能を有する。
【００２９】
信号処理装置１００は、コンピュータ本体２００に接続されていると共に、信号処理装置１０に合わせて形成された専用の装置であり、信号処理装置１０との間で画像信号やそれ以外の各種信号の送受信可能となっている。
【００３０】
ラック４０は、例えば、スチール製であり、図１及び図２に示すように、支柱部５０、支柱部５０の下端部を支持すると共に移動可能にするキャスタ部６０等から構成されている。
【００３１】
支柱部５０は、図示しないアタッチメントにより、モニタ２０、キーボード／マウス３０、信号処理装置１０を着脱自在に支持している。また、モニタ２０、キーボード／マウス３０、信号処理装置１０の位置は支柱部５０に沿って調整可能となっており、ユーザは適宜モニタ２０、キーボード／マウス３０、信号処理装置１０等の高さを調整できる。これにより、ユーザは立位においても座位においてもコンピュータ操作が可能となる。
また、モニタ２０、キーボード／マウス３０、信号処理装置１０を支柱部５０にそれぞれ支持させることにより、モニタ２０及びキーボード／マウス３０と信号処理装置１０との間の配線の引き回しが非常に容易となる。
【００３２】
以上のように、本実施形態によれば、コンピュータ本体２００との間での各種信号の入力や出力が信号処理装置１０により管理されるので、コンピュータ本体２００から送られてくる画像信号をモニタ２０に高品質に表示できると共に、キーボード／マウス３０、タッチパネル等の各種入力装置を使用して、コンピュータ本体２００に対する遠隔操作が可能となる。
また、本実施形態によれば、コンピュータ本体２００と遠隔コンソールユニットとは、実質的に単一のＬＡＮケーブルのみにより接続されているだけであるので、遠隔コンソールユニットをコンピュータ本体２００から独立にかつ自由に離れた場所に移動させることができ、例えば、コンピュータ本体２００を所定の部屋に設置すると共に遠隔コンソールユニットを異なる場所や部屋で操作するといったことが可能になる。
【００３３】
次に、本発明の他の実施形態に係る遠隔表示装置を図５及び図６を参照して説明する。
図５は本発明の他の実施形態に係る遠隔表示装置がコンピュータ本体にケーブルにより接続された状態を示す図であり、図６は遠隔表示装置の機能ブロック図である。尚、図５及び図６において、上記実施形態と同一の構成部分については同一の符号を使用している。
遠隔表示装置３２０は、図５に示すように、キーボード３０が接続されていると共に、図６に示すように、プロセッサ（ＣＰＵ）３２１、画像信号受信回路３２２、表示制御回路３２３、表示器３２４、タッチパネル３２５、タッチパネル制御回路３２６、キーボード制御回路３２７、マウス制御回路３２８、スピーカ制御回路３２９、信号送受信回路３３０、内蔵スピーカ３３５、ＬＡＮコネクタ３４０等から構成されている。
【００３４】
画像信号受信回路３２２は、上記した画像信号処理回路１１と同様に、コンピュータ本体２００側の信号処理装置１００からケーブルＣｂを通じて受信した画像信号の特性を補償したのち、これを表示制御回路３２３へ出力される。
表示制御回路３２３は、画像信号受信回路３２２から得られた画像信号に基づいて、表示器３２４の表示制御を行う。
【００３５】
表示器３２４は、例えば、液晶パネル等から構成され、その前面にタッチパネル３２５が設けられている。タッチパネル３２５は、上記したタッチパネルと同様のものを使用できる。
【００３６】
タッチパネル制御回路３２６は、タッチパネル３２５からの入力信号（シリアル信号）を受信して、プロセッサ３２１に出力する。
キーボード制御回路３２７は、キーボード／マウス３０のキーボード操作により入力されるキーボード信号（シリアル信号）を受信して、これをプロセッサ３２１に出力する。
マウス制御回路３２８は、キーボード／マウス３０のマウス操作により入力されるマウス信号（シリアル信号）を受信して、これをプロセッサ３２１に出力する。
【００３７】
スピーカ制御回路３２９は、コンピュータ本体２００から信号処理装置１００、ケーブルＣｂ，ＬＡＮコネクタ３４０信号送受信回路３３及びプロセッサ３２１を通じて送信された音声信号を内蔵スピーカ３３５に出力する。
内蔵スピーカ３３５は、遠隔表示装置３２０に内蔵されており、スピーカ制御回路３２９からの音声信号を出力する。
【００３８】
プロセッサ（ＣＰＵ）３２１は、タッチパネル制御回路３２６、キーボード制御回路３２７、マウス制御回路３２８から入力される各種信号を信号送受信回路１３へ出力すると共に、信号送受信回路１３からの音声信号をスピーカ制御回路３２９へ出力する。
【００３９】
信号送受信回路３３０は、コンピュータ本体２００側の信号処理装置１００とケーブルＣｂの伝送線ＴＬを通じて各種信号を送受信する回路であり、プロセッサ（ＣＰＵ）３２１から入力された各種信号を多重化して共通の伝送線ＴＬ４を使用してコンピュータ本体２００へ送信する。尚、信号送受信回路３３０は、ケーブルＣｂの延長化に伴う信号劣化を補償する機能を有する。
【００４０】
上記のように構成される遠隔表示装置３２０では、ユーザは、コンピュータ本体２００から離れた場所において、表示器３２４に表示される高品質な画像を見ながら、キーボード／マウス３０やタッチパネル３２５を使用してコンピュータ本体２００に対する遠隔操作をすることが可能となる。
また、遠隔表示装置３２０は、コンピュータ本体２００からの画像信号を受信する機能、ケーブル延長化に伴う信号の特性補償機能、キーボード／マウス３０やタッチパネル３２５等の各種信号の送受信機能を全て内蔵しているため、装置が小型化されていると共に移動性にも優れており、必要な場所に簡単に持ち運びできると共に、単一のケーブルＣｂをＬＡＮコネクタ３４０に接続するだけで、即座にコンピュータ本体２００に対する操作や画像表示を行うことができる。
【００４１】
上記実施形態においては、信号処理装置１０、モニタ２０、及びキーボード３０をラック４０に支持させる場合について説明したが、これに限定されるわけではなく、ラック４０を使用しない構成を採用することも可能であるし、ラックの形態を種々変更することも可能である。
【００４２】
上記実施形態においては、入出力装置として、タッチパネル付きモニタ２０、キーボード／マウス３０、スピーカ３３５、タッチパネル３２６等を例に挙げて説明したが、これに限定されるわけではなく、例えば、プロジェクタ、ポインティングデバイス等の種々の入出力装置（遠隔コンソールユニット）としてケーブルＣｂを介してコンピュータ本体２００に接続することが可能である。
【図面の簡単な説明】
【００４３】
【図１】本発明の一実施形態に係るコンピュータの遠隔コンソールユニットの外観斜視図である。
【図２】遠隔コンソールユニットがコンピュータ本体にケーブルにより接続された状態を示す図である。
【図３】本発明の一実施形態に係る遠隔コンソールユニットが適用されたコンピュータシステムの機能ブロック図である。
【図４】信号処理装置の機能ブロック図である。
【図５】本発明の他の実施形態に係る遠隔表示装置がコンピュータ本体にケーブルにより接続された状態を示す図である。
【図６】図５に示す遠隔表示装置の機能ブロック図である。
【符号の説明】
【００４４】
１０…信号処理装置
１１…画像信号処理回路
１２…信号送受信回路
１３…プロセッサ（ＣＰＵ）
１４…タッチパネル制御回路
１５…キーボード制御回路
１６…マウス制御回路
１７…ＬＡＮコネクタ
２０…タッチパネル付きモニタ
３０…キーボード／マウス
４０…ラック
５０…支柱部
１００…信号処理装置
２００…コンピュータ本体
３２０…遠隔表示装置
３２１…プロセッサ（ＣＰＵ）
３２２…画像信号受信回路
３２３…表示制御回路
３２４…表示器
３２５…タッチパネル
３２６…タッチパネル制御回路
３２７…キーボード制御回路
３２８…マウス制御回路
３２９…スピーカ制御回路
３３０…信号送受信回路
３３５…内蔵スピーカ
３４０…ＬＡＮコネクタ
Ｃｂ…ケーブル
【図１】
2007042063.tif 000003
【図２】
2007042063.tif 000004
【図３】
2007042063.tif 000005
【図４】
2007042063.tif 000006
【図５】
2007042063.tif 000007
【図６】
2007042063.tif 000008